【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
駆動源と、
前記駆動源により駆動されるファンと、
外部から空気が流入する吸気通路と、
前記吸気通路から流入した空気を、第１の軸線を中心として第一旋回室内を回転させて塵埃を遠心分離した後に内周側の空気を排出する第一サイクロン部と、
前記第一サイクロン部から排出された空気を、第２の軸線を中心として第二旋回室内を回転させることで塵埃を遠心分離した後に内周側の空気を排出する複数の第二サイクロン部と、を有し、
前記複数の第二サイクロン部から排出された空気を前記ファンによってハウジングの外部に排出させるクリーナであって、
前記複数の第二サイクロン部は、前記第１の軸線の径方向における前記第一旋回室外周に、前記第１の軸線の周方向へ並んで配置され、
前記吸気通路は、前記第一旋回室の外周の接線方向に向けて延びるようにして前記第一旋回室に接続され、前記第一旋回室と前記吸気通路を挟み込むようにして複数個の前記第二旋回室を配置し、
隣接する前記第二旋回室における旋回方向が互いに逆向きとなるように第二サイクロン部の入口開口を周方向の一方側と他方側に交互に配置し、
前記第１の軸線と、前記第１の軸線と平行に延びる筒状のパイプ取付部の軸線を含む仮想面に対して、前記仮想面の吸気口側に配置する側の前記第二旋回室の総数を、反吸気口側に配置する側の前記第二旋回室の総数より少なくしたことを特徴とするクリーナ。
【請求項２】
前記仮想面に対して、一方側に前記吸気通路を配置したことを特徴とする請求項１に記載のクリーナ。
【請求項３】
前記吸気通路は、前記第１の軸線の周方向の開口幅が下流に向けて絞られた形状であることを特徴とする請求項１または２に記載のクリーナ。
【請求項４】
前記吸気通路の前記第１の軸線方向の開口長さは一定であって、前記周方向の開口幅だけが絞られることを特徴とする請求項３に記載のクリーナ。
【請求項５】
前記第一旋回室の外壁および前記第二旋回室の外壁の一部を共用させたことを特徴とする請求項１から４のいずれか一項に記載のクリーナ。
【請求項６】
隣接する前記第二旋回室の外壁の一部を共用させたことを特徴とする請求項１から５のいずれか一項に記載のクリーナ。
【請求項７】
前記第１の軸線方向視において、前記第一旋回室の外壁と前記吸気通路の間に、第二旋回室の一部が挟み込まれるように配置されることを特徴とする請求項１から６のいずれか一項に記載のクリーナ。
【請求項８】
前記第二旋回室の数は偶数であることを特徴とする請求項１から７のいずれか一項に記載のクリーナ。
【請求項９】
前記吸気通路の側壁は、前記第二サイクロン部に沿って湾曲した形状を有することを特徴とする請求項１から７のいずれか一項に記載のクリーナ。
【請求項１０】
駆動源と、
前記駆動源により駆動されるファンと、
外部から空気が流入する吸気通路と、
前記吸気通路から流入した空気を、第１の軸線を中心として第一旋回室内を回転させて塵埃を遠心分離した後に内周側の空気を排出する第一サイクロン部と、
前記第一サイクロン部から排出された空気を、第２の軸線を中心として第二旋回室内を回転させることで塵埃を遠心分離した後に内周側の空気を排出する複数の第二サイクロン部と、を有し、
第二サイクロン部から排出された空気を前記ファンによってハウジングの外部に排出させるクリーナであって、
前記吸気通路は、前記第一旋回室の外周から接線方向に向けて延びるようにして前記第一旋回室に接続され、
前記複数の第二サイクロン部は、前記第１の軸線の径方向における前記第一旋回室外周であって前記吸気通路を避けた部分に、前記第１の軸線の周方向へ並んで配置され、
前記吸気通路は、前記第１の軸線を基準に見た周方向の開口幅が下流に向けて絞られた形状であり、
前記第二サイクロン部の外壁と、前記吸気通路の絞られた領域の側壁を共有させたことを特徴とするクリーナ。
【手続補正２】
【補正対象書類名】明細書
【補正対象項目名】０００７
【補正方法】変更
【補正の内容】
【０００７】
本願において開示される発明のうち代表的な特徴を説明すれば次のとおりである。
本発明の一つの特徴によれば、モータ等の駆動源と、駆動源により駆動するファンと、外部から空気が流入する吸気通路と、吸気通路から流入した空気を、第１の軸線（Ａ１）を中心として第一旋回室内を回転させて塵埃を遠心分離した後に内周側の空気を排出させる第一サイクロン部と、第一サイクロン部から排出された空気を、複数の第２の軸線（Ｂ１）を中心として第二旋回室内を回転させることで細かい塵埃を遠心分離した後に内周側の空気を排出する複数の第二サイクロン部と、を有し、第二サイクロン部から排出された空気をファンによってハウジングの外部に排出させるようにしたサイクロン方式のクリーナにおいて、複数の第二サイクロン部は第１の軸線の径方向における第一旋回室外周に第１の軸線の周方向へ並んで配置され、吸気通路は第一旋回室の外周の接線方向に向けて延びるようにして第一旋回室に接続され、第一旋回室と吸気通路を挟み込むようにして複数個の第二旋回室を配置した。この際、隣接する第二旋回室における旋回方向が互いに逆向きとなるように第二サイクロン部の入口開口を周方向の一方側と他方側に交互に配置した。第１の軸線（Ａ１）と、第１の軸線と平行に延びる筒状のパイプ取付部の軸線を含む仮想面に対して、仮想面の吸気口側に配置する側の第二旋回室の総数を、反吸気口側に配置する側の第二旋回室の総数より少なくした。また、仮想面に対して、一方側に吸気通路を配置した。
【手続補正３】
【補正対象書類名】明細書
【補正対象項目名】０００８
【補正方法】変更
【補正の内容】
【０００８】
本発明の他の特徴によれば、吸気通路は、第１の軸線の周方向の開口幅が下流に向けて絞られた形状とした。また、吸気通路の第１の軸線方向の開口長さは一定であって、周方向の開口幅だけが絞られるように形成した。さらに、第一旋回室の外壁および第二旋回室の外壁の一部を共用させ、隣接する第二旋回室の外壁の一部を共用させるようにした。
【手続補正４】
【補正対象書類名】明細書
【補正対象項目名】０００９
【補正方法】変更
【補正の内容】
【０００９】
本発明の他の特徴によれば、第１の軸線方向視において、第一旋回室の外壁と吸気通路の間に、第二旋回室の一部が挟み込まれるような配置とした。第二旋回室の数は偶数にする好ましい。吸気通路の側壁は、第二サイクロン部に沿って湾曲した形状を有するように構成した。
【手続補正５】
【補正対象書類名】明細書
【補正対象項目名】００１０
【補正方法】変更
【補正の内容】
【００１０】
本発明のさらに他の特徴によれば、第一サイクロン部と複数の第二サイクロン部を有し、第二サイクロン部から排出された空気をファンによってハウジングの外部に排出させるクリーナにおいて、吸気通路は第一旋回室の外周から接線方向に向けて延びるようにして第一旋回室に接続されるように構成した。複数の第二サイクロン部は、第１の軸線の径方向における第一旋回室外周であって吸気通路を避けた部分に、第１の軸線の周方向へ並んで配置される。吸気通路は、第１の軸線を基準に見た周方向の開口幅が下流に向けて絞られた形状であり、第二サイクロン部の外壁と、吸気通路の絞られた領域の側壁を共有させるように構成した。第一サイクロン部の吸気通路の第１の軸線方向における開口長さは、吸気通路の上流側から下流側まで一定であって、周方向の開口幅だけを絞るように構成した。